(57)【要約】【課題】本発明の課題は、緑化などされて空調負荷が比較的不均一になっているようなビル６０などにおいても十分な省エネルギー効果を得ることができる空調制御装置３０、空調制御プログラム３１および空調制御方法を提供することにある。【解決手段】空調制御装置３０は、複数の空間を有する建造物６０において所定の空間を空気調和する空気調和機１０または空気調和システムを制御するための空調制御装置３０であって、躯体温度取得手段３３、および空調制御パラメータ導出手段３１を備える。躯体温度取得手段３３は、所定の空間に属する空間１００ａ，１００ｂ，１１０ａ，１１０ｂを部分的に又は全体的に区画する躯体１５１，１５２の一部または全部の温度を、少なくとも空間１００ａ，１００ｂ，１１０ａ，１１０ｂ単位で取得する。空調制御パラメータ導出手段３１は、躯体１５１，１５２の一部または全部の温度を利用して空調制御パラメータを導出する。【選択図】        図３
2004325033.tif 000002
【特許請求の範囲】
【請求項１】
複数の空間を有する建造物（６０）において所定の前記空間（１００ａ，１００ｂ，１１０ａ，１１０ｂ）を空気調和する空気調和機（１０）または空気調和システムを制御するための空調制御装置（３０）であって、
前記所定の前記空間に属する前記空間（１００ａ，１００ｂ，１１０ａ，１１０ｂ）を部分的に又は全体的に区画する躯体（１５１，１５２）の一部または全部の温度を、少なくとも前記空間（１００ａ，１００ｂ，１１０ａ，１１０ｂ）単位で取得する躯体温度取得手段（３３）と、
前記躯体（１５１，１５２）の一部または全部の温度を利用して空調制御パラメータを導出する空調制御パラメータ導出手段（３１）と、
を備える、空調制御装置（３０）。
【請求項２】
前記空調制御パラメータ導出手段（３１）は、前記躯体（１５１，１５２）の一部または全部の温度を利用して、空調制御パラメータを導出する基準となる基準値を修正し、その修正された前記基準値に基づいて前記空調制御パラメータを導出する、
請求項１に記載の空調制御装置（３０）。
【請求項３】
前記空気調和機（１０）または前記空気調和システムは、前記所定の前記空間に属する前記空間（１００ａ，１００ｂ，１１０ａ，１１０ｂ）それぞれに対して、外気を導入する外気導入手段（１５，３１１）を有し、
前記空調制御パラメータ導出手段（３１）は、前記躯体（１５１，１５２）の一部または全部の温度を利用して前記外気導入手段（１５，３１１）の制御パラメータを導出する、
請求項１に記載の空調制御装置（３０）。
【請求項４】
前記外気導入手段（３１１）は、地中に設けられる配管（３２０）を介して外気を導入する、
請求項３に記載の空調制御装置（３０）。
【請求項５】
前記外気導入手段は、地中に設けられる配管（３２０）を介して外気を導入する第１外気導入手段と、地中に設けられる配管を介さずに外気を導入する第２外気導入手段とを有し、
前記空調制御パラメータ導出手段（３１）は、前記躯体（１５１，１５２）の一部または全部の温度を利用して前記第１外気導入手段の制御パラメータおよび前記第２外気導入手段の制御パラメータを導出する、
請求項３に記載の空調制御装置（３０）。
【請求項６】
前記制御パラメータに基づいて前記空気調和機（１０）または前記空気調和システムの運転／停止を決定する決定手段をさらに備える、
請求項３から５のいずれかに記載の空調制御装置（３０）。
【請求項７】
前記空気調和機（１０）または前記空気調和システムは、前記所定の前記空間に属する前記空間（１００ａ，１００ｂ，１１０ａ，１１０ｂ）それぞれに対して、内気を排出する内気排出手段（３１３，３１５，３１７）を複数有し、
前記空調制御パラメータ導出手段（３１）は、前記躯体（１５１，１５２）の一部または全部の温度を利用して前記複数の内気排出手段（３１３，３１５，３１７）それぞれの制御パラメータを導出する、
請求項１に記載の空調制御装置（３０）。
【請求項８】
前記躯体（１５１，１５２）の一部または全部の温度は、前記空間（１００ａ，１００ｂ，１１０ａ，１１０ｂ）の内気の温度、前記空間（１００ａ，１００ｂ，１１０ａ，１１０ｂ）の位置情報、および前記建造物（６０）の緑化情報に基づいて推定される推定値である、
請求項１から７のいずれかに記載の空調制御装置（３０）。
【請求項９】
前記躯体（１５１，１５２）の一部または全部の温度は、計測値である、
請求項１から７のいずれかに記載の空調制御装置（３０）。
【請求項１０】
複数の空間を有する建造物（６０）において所定の前記空間を空気調和する空気調和機（１０）または空気調和システムを制御するための空調制御プログラム（３１）であって、
前記所定の前記空間に属する前記空間（１００ａ，１００ｂ，１１０ａ，１１０ｂ）を部分的に又は全体的に区画する躯体（１５１，１５２）の一部または全部の温度を、少なくとも前記空間（１００ａ，１００ｂ，１１０ａ，１１０ｂ）単位で取得する躯体温度取得ステップと、
前記躯体（１５１，１５２）の一部または全部の温度を利用して空調制御パラメータを導出する空調制御パラメータ導出ステップと、
を備える、空調制御プログラム（３１）。
【請求項１１】
複数の空間を有する建造物（６０）において所定の前記空間を空気調和する空気調和機（１０）または空気調和システムを制御するための空調制御方法であって、
前記所定の前記空間に属する前記空間（１００ａ，１００ｂ，１１０ａ，１１０ｂ）を部分的に又は全体的に区画する躯体（１５１，１５２）の一部または全部の温度を、少なくとも前記空間（１００ａ，１００ｂ，１１０ａ，１１０ｂ）単位で取得する躯体温度取得ステップと、
前記躯体（１５１，１５２）の一部または全部の温度を利用して空調制御パラメータを導出する空調制御パラメータ導出ステップと、
を備える、空調制御方法。
【請求項１２】
請求項１から８のいずれかに記載の空調制御装置（２０，３０）と、
前記空調制御装置（２０，３０）により制御される空気調和機（１０）または空気調和システムと、
を備える、空調制御システム。
【発明の詳細な説明】
【０００１】
【発明の属する技術分野】
本発明は、空気調和機または空気調和システムを制御する空調制御装置、空調制御プログラム空調制御方法、および空調制御システムに関する。
【０００２】
【従来の技術】
近年、社会の省エネルギー化の促進が要望されている。この要望を受けて、近年製造される空気調和機、空気調和システムまたはその制御装置などには、省エネルギー制御機能が付加されるようになってきている。この省エネルギー制御機能の例としては、外気導入機能（例えば、特許文献１および特許文献２参照。）や圧縮機の発停頻度低減機能（例えば、特許文献３参照。）、体感温度を考慮した設定温度制御機能（例えば、特許文献４参照。）などが挙げられる。これらの機能は、非常に優れており、快適性を維持しながらも空気調和機または空気調和システムの消費電力量をかなり低減することができる。
【０００３】
【特許文献１】
特開平１０−１４１７２５号公報（第２−４項、図１）
【０００４】
【特許文献２】
特開平７−１６７４７７号公報（第２−４項、図４）
【０００５】
【特許文献３】
特開２００２−６１９２５号公報（第３−２１項、図１）
【０００６】
【特許文献４】
特許第３１３９０７９号明細書（第２−５項、図１）
【０００７】
【発明が解決しようとする課題】
ところで、近年、ヒートアイランド現象の緩和およびビルなどの空調負荷を低減する目的で、ビルなどの屋上などの一部を緑化する試みが行われている。このように屋上などの一部を緑化すれば実際にそのビルの空調負荷を低減できるといわれている。しかし、その空調負荷の低減率は、そのビルなどにおいて決して均一というわけではなく、その緑化場所や緑化面積などに大きく依存するとされている。ところが、従来の省エネルギー制御機能は、このように空調負荷が比較的不均一になりやすいビルなどを想定して設計されていない。つまり、ビルなどに複数の空気調和機が設置されていてもそれらはほとんど同じタイミングで同じように制御される。このため、空調負荷が比較的不均一になるようなビルでは、特許文献１から特許文献４に係る制御機能が適切なタイミングで発現しないおそれがある。したがって、これらの制御機能をそのまま用いたのでは、そのようなビルにおいて十分な省エネルギー効果を得ることができないおそれがある。
【０００８】
本発明の課題は、緑化などされて空調負荷が比較的不均一になっているようなビルなどにおいても十分な省エネルギー効果を得ることができる空調制御装置、空調制御プログラム、空調制御方法、および空調制御システムを提供することにある。
【０００９】
【課題を解決するための手段】
請求項１に記載の空調制御装置は、複数の空間を有する建造物において所定の空間を空気調和する空気調和機または空気調和システムを制御するための空調制御装置であって、躯体温度取得手段、および空調制御パラメータ導出手段を備える。なお、ここにいう「空気調和機」とは、個別パッケージ式空気調和機やマルチ式空気調和機などである。また、ここにいう「空気調和システム」とは、空気調和機と他種の空気調和機とが連動して運転されるようなシステム（例えば、全熱交換器ユニット、内気排出装置、外気冷房装置、地下熱利用空気調和機などのうちの少なくとも１つと空気調和機とから構成されるシステムなど。）などである。さらに、ここにいう「空間」とは、部屋、または空調区画（空気調和機、あるいは空気調和機の室内機が空気調和することが可能な範囲。）などである。躯体温度取得手段は、所定の空間に属する空間を部分的に又は全体的に区画する躯体の一部または全部の温度を、少なくともその空間単位で取得する。なお、ここにいう「躯体」とは、建造物の部屋（場合によっては、部屋上の天井裏の空間も含む。）の壁（窓を含む場合もある。）、床、または天井などである。さらに、ここにいう「空間を全体的に区画する躯体」とは部屋の床、天井および壁（窓を含む場合もある。）などであり、「空間を部分的に区画する躯体」とは空調区画の床および天井、または床、天井および壁（窓を含む場合もある。）などである。加えて、ここにいう「躯体の温度」とは、躯体そのものの温度、躯体の表面温度または躯体の放射温度などである。空調制御パラメータ導出手段は、躯体の一部または全部の温度を利用して空調制御パラメータを導出する。
【００１０】
ここでは、躯体温度取得手段が、所定の空間に属する空間を部分的に又は全体的に区画する躯体の一部または全部の温度を、少なくともその空間単位で取得する。そして、空調制御パラメータ導出手段が、その躯体の一部または全部の温度を利用して空調制御パラメータを導出する。このため、所定の空間に複数の空間が属しておりそれぞれの空間に少なくとも１台の空気調和機が設置されるような場合、その空間ごとに空気調和機の空調制御パラメータを導出することができる。また、空気調和機がマルチ式空気調和機である場合、その室内機が設置される空間ごとにその室内機の制御パラメータを導出することができる。したがって、緑化などされて空調負荷が不均一になっているようなビルなどにおいても十分な省エネルギー効果を得ることができる。
【００１１】
請求項２に記載の空調制御装置は、請求項１に記載の空調制御装置であって、空調制御パラメータ導出手段は、躯体の一部または全部の温度を利用して、空調制御パラメータを導出する基準となる基準値を修正し、その修正された基準値に基づいて空調制御パラメータを導出する。
ここでは、空調制御パラメータ導出手段が、躯体の一部または全部の温度を利用して、空調制御パラメータを導出する基準となる基準値を修正し、その修正された基準値に基づいて空調制御パラメータを導出する。このため、所定の空間に属する空間それぞれに適切なタイミングで空調制御パラメータを導出することができる。したがって、緑化などされて空調負荷が不均一になっているようなビルなどにおいても十分な省エネルギー効果を得ることができる。
【００１２】
請求項３に記載の空調制御装置は、請求項１に記載の空調制御装置であって、空気調和機または空気調和システムは、所定の空間に属する空間それぞれに対して、外気導入手段を有する。外気導入手段は、外気を導入する。なお、ここにいう「外気導入手段」とは、給気ファン、ダンパ、全熱交換器ユニットの給気ファン、または地下熱利用空気調和機の給気ファンなどである。ここで、所定の空間に属する空間それぞれに対して給気ファン、全熱交換器ユニットまたは地下熱利用空気調和機が設けられる場合、「外気導入手段」は、給気ファン（全熱交換器ユニットの給気ファン、または地下熱利用空気調和機の給気ファンを含む。）およびダンパ、または給気ファン（全熱交換器ユニットの給気ファン、または地下熱利用空気調和機の給気ファンを含む。）のみ（この場合、ダンパは固定されるか取り外される。なお、ダンパが取り外される場合、風量は給気ファンの回転数のみで調節する。）である。また、所定の空間に属する空間複数に対して給気ファン、全熱交換器ユニットまたは地下熱利用空気調和機が１つしかないがそれぞれの空間にダンパが設けられる場合、「外気導入手段」は、給気ファン（全熱交換器ユニットの給気ファン、または地下熱利用空気調和機の給気ファンを含む。）およびダンパ、またはダンパのみ（この場合、給気ファン（全熱交換器ユニットの給気ファン、または地下熱利用空気調和機の給気ファンを含む。）は常時運転。）である。さらに、「外気導入手段」が全熱交換器ユニットであり外気温度が室内の温度よりも十分に低い場合は、熱交換エレメントを通さずに給気を行うのが好ましい。また、空調制御パラメータ導出手段は、躯体の一部または全部の温度を利用して外気導入手段の制御パラメータを導出する。なお、ここにいう「外気導入手段の制御パラメータ」とは、給気ファン（全熱交換器ユニットまたは地下熱利用空気調和機の給気ファンも含む。）の運転／停止、給気ファンの回転数（全熱交換器ユニットまたは地下熱利用空気調和機の給気ファンも含む。）、またはダンパの開閉度などである。
【００１３】
ここでは、空調制御パラメータ導出手段が、躯体の一部または全部の温度を利用して外気導入手段の制御パラメータを導出する。外気導入手段の消費エネルギー量は、空気調和機のそれと比べると十分に小さい。このため、ビルなどをさらに効率的に省エネルギー化することができる。また、例えば、冷房時において、躯体温度が空気調和機の設定温度よりも低いときは従来よりも早いタイミングで外気導入などすることができ、また躯体温度が室温よりも高いときは外気導入を行わないように空調制御パラメータを導出するようにすることができれば、緑化などされて空調負荷が不均一になっているようなビルなどをさらに効率よく省エネルギー化することができる。
【００１４】
請求項４に記載の空調制御装置は、請求項３に記載の空調制御装置であって、外気導入手段は、地中に設けられる配管を介して外気を導入する。なお、このような技術は、特許文献５に詳しい。
ここでは、外気導入手段が、地中に設けられる配管を介して外気を導入する。一般に、地中は常にほぼ一定の温度に保たれている。つまり、比較的暑い時期では地中の温度が外気の温度よりも低く、比較的寒い時期では地中の温度が外気の温度よりも高い。このため、外気が地中の配管を通る際に地中の熱と熱交換を起こすようにすることができれば、比較的暑い時期では外気が冷却され、比較的寒い時期では、外気が加熱される。したがって、そのような時期では、比較的低い空調能力で空気調和機を運転することができる。その結果、ビルなどをさらに効率的に省エネルギー化することができる。
【００１５】
（特許文献５）  特開２００３−３５４３３号公報（第３−２１項、図１）
請求項５に記載の空調制御装置は、請求項３に記載の空調制御装置であって、外気導入手段は、第１外気導入手段、および第２外気導入手段を有する。第１外気導入手段は、地中に設けられる配管を介して外気を導入する。第２外気導入手段は、地中に設けられる配管を介さずに外気を導入する。なお、ここにいう「第１外気導入手段」とは地下熱利用空気調和機の給気ファンなどである。また、ここにいう「第２外気導入手段」とは給気ファン、ダンパ、または全熱交換器ユニットの給気ファンなどである。そして、空調制御パラメータ導出手段は、躯体の一部または全部の温度を利用して第１外気導入手段の制御パラメータおよび第２外気導入手段の制御パラメータを導出する。なお、ここにいう「外気導入手段の制御パラメータ」とは、第１外気導入手段および第２外気導入手段の給気ファンの運転／停止、給気ファンの回転数や給気側ダンパの開閉度などである。
【００１６】
ここでは、空調制御パラメータ導出手段が、躯体の一部または全部の温度を利用して第１外気導入手段の制御パラメータおよび第２外気導入手段の制御パラメータを導出する。ところで、第１外気導入手段は、夏や冬などには非常に有効である。しかし、例えば、秋や春などにおいて外気温度が地中の温度よりも低い状態で空気調和機または空気調和システムが冷房運転している場合は、空間の空調負荷を大きくしてしまう可能性がある。しかし、先のような状況になったときに、外気導入手段を第１外気導入手段から第２外気導入手段に切り替えるように制御パラメータを導出することができれば、空間の空調負荷を大きくしてしまうことを防止することができる。また、空気調和機または空気調和システムの設定温度が、外気温度と地中の温度との間にある場合は、第１外気導入手段と第２外気導入手段とを適当な割合で運転させることにより、外気導入手段のみでその空間を空気調和することができる。したがって、さらに効率よくビルなどの省エネルギー化を行うことができる。
【００１７】
請求項６に記載の空調制御装置は、請求項３から５のいずれかに記載の空調制御装置であって、決定手段をさらに備える。決定手段は、制御パラメータに基づいて空気調和機または空気調和システムの運転／停止を決定する。
ここでは、決定手段が、制御パラメータに基づいて空気調和機または空気調和システムの運転／停止を決定する。このため、外気導入手段が運転されているときに、空気調和機または空気調和システムを停止することができれば、在室者の快適感を損なうことなくさらに省エネルギー化することができる。
【００１８】
請求項７に記載の空調制御装置は、請求項１に記載の空調制御装置であって、空気調和機または空気調和システムは、所定の空間に属する空間それぞれに対して、内気排出手段を複数有する。内気排出手段は、内気を排出する。なお、ここにいう「内気排出手段」とは、排気ファン、ダンパ、または全熱交換器ユニットの排気ファンおよびダンパなどである。ここで、所定の空間に属する空間それぞれに対して排気ファンまたは全熱交換器ユニットが設けられる場合、「内気排出手段」は、排気ファン（全熱交換器ユニットの排気ファンを含む。）およびダンパ（全熱交換器ユニットのダンパを含む。）、または排気ファン（全熱交換器ユニットの排気ファンを含む。）のみ（この場合、ダンパは固定されるか取り外される。なお、ダンパが取り外される場合、風量は排気ファンの回転数のみで調節する。）である。また、所定の空間に属する空間複数に対して排気ファンまたは全熱交換器ユニットが１つしかないがそれぞれの空間にダンパが設けられる場合、「内気排出手段」は、排気ファン（全熱交換器ユニットの排気ファンを含む。）およびダンパ（全熱交換器ユニットのダンパを含む。）、またはダンパのみ（この場合、排気ファン（全熱交換器ユニットの排気ファンを含む。）は常時運転。）である。また、空調制御パラメータ導出手段は、躯体の一部または全部の温度を利用して複数の内気排出手段それぞれの制御パラメータを導出する。なお、ここにいう「内気排出手段それぞれの制御パラメータ」とは、排気ファン（全熱交換器ユニットの排気ファンも含む。）の運転／停止、排気ファンの回転数（全熱交換器ユニットの排気ファンも含む。）、またはダンパ（全熱交換器ユニットのダンパも含む。）の開閉度などである。
【００１９】
ここでは、空調制御パラメータ導出手段が、躯体の一部または全部の温度を利用して複数の内気排出手段それぞれの制御パラメータを導出する。このため、例えば、温度が高い空間の順に内気排出手段を運転させるように制御パラメータを導出させることができれば、空間に蓄積される熱を効率的に排出することができる。したがって、冷房時のビルなどをさらに効率的に省エネルギー化することができる。
【００２０】
請求項８に記載の空調制御装置は、請求項１から７のいずれかに記載の空調制御装置であって、躯体の一部または全部の温度は、空間の内気の温度、空間の位置情報、および建造物の緑化情報に基づいて推定される推定値である。なお、ここにいう「空間の内気の温度」は、空気調和機または空気調和システムが有する空気吸込口の温度であってもよい。また、ここにいう「緑化情報」とは、緑化場所、緑化面積、または緑化密度などである。
【００２１】
ここでは、新たに計測器を導入することなく躯体の一部または全部の温度を得ることができる。
請求項９に記載の空調制御装置は、請求項１から７のいずれかに記載の空調制御装置であって、躯体の一部または全部の温度は、計測値である。なお、躯体の一部の温度は温度センサなどを用いて測定することが可能であり、躯体の全部の温度はサーモトレーサーなどを用いて測定することが可能である。
【００２２】
ここでは、若干の設備費や工事費などはかかるが、精度よく躯体の温度を測定できる。
請求項１０に記載の空調制御プログラムは、複数の空間を有する建造物において所定の空間を空気調和する空気調和機または空気調和システムを制御するための空調制御プログラムであって、躯体温度取得ステップ、および空調制御パラメータ導出ステップを備える。躯体温度取得ステップでは、所定の空間に属する空間を部分的に又は全体的に区画する躯体の一部または全部の温度が、少なくともその空間単位で取得される。空調制御パラメータ導出ステップでは、その躯体の一部または全部の温度が利用されて空調制御パラメータが導出される。
【００２３】
ここでは、この空調制御プログラムが実行されると、躯体温度取得ステップで、所定の空間に属する空間を部分的に又は全体的に区画する躯体の一部または全部の温度が、少なくともその空間単位で取得される。そして、空調制御パラメータ導出ステップで、その躯体の一部または全部の温度が利用されて空調制御パラメータが導出される。このため、所定の空間に複数の空間が属しておりそれぞれの空間に少なくとも１台の空気調和機が設置されるような場合、その空間ごとに空気調和機の空調制御パラメータを導出することができる。また、空気調和機がマルチ式空気調和機である場合、その室内機が設置される空間ごとにその室内機の制御パラメータを導出することができる。したがって、緑化などされて空調負荷が不均一になっているようなビルなどにおいても十分な省エネルギー効果を得ることができる。
【００２４】
請求項１１に記載の空調制御方法は、複数の空間を有する建造物において所定の空間を空気調和する空気調和機または空気調和システムを制御するための空調制御方法であって、躯体温度取得ステップ、および空調制御パラメータ導出ステップを備える。躯体温度取得ステップでは、所定の空間に属する空間を部分的に又は全体的に区画する躯体の一部または全部の温度が、少なくともその空間単位で取得される。空調制御パラメータ導出ステップでは、その躯体の一部または全部の温度が利用されて空調制御パラメータが導出される。
【００２５】
ここでは、この空調制御方法が実施されると、躯体温度取得ステップで、所定の空間に属する空間を部分的に又は全体的に区画する躯体の一部または全部の温度が、少なくともその空間単位で取得される。そして、空調制御パラメータ導出ステップで、その躯体の一部または全部の温度が利用されて空調制御パラメータが導出される。このため、所定の空間に複数の空間が属しておりそれぞれの空間に少なくとも１台の空気調和機が設置されるような場合、その空間ごとに空気調和機の空調制御パラメータを導出することができる。また、空気調和機がマルチ式空気調和機である場合、その室内機が設置される空間ごとにその室内機の制御パラメータを導出することができる。したがって、緑化などされて空調負荷が不均一になっているようなビルなどにおいても十分な省エネルギー効果を得ることができる。
【００２６】
請求項１２に記載の空調制御システムは、空調制御装置と空気調和機または空気調和システムとを備える。空調制御装置は、請求項１から８のいずれかに記載の空調制御装置である。空気調和機または空気調和システムは、空調制御装置により制御される。なお、ここにいう「空気調和機」とは、個別パッケージ式空気調和機やマルチ式空気調和機などである。また、ここにいう「空気調和システム」とは、空気調和機と他種の空気調和機とが連動して運転されるようなシステム（例えば、全熱交換器ユニット、内気排出装置、外気冷房装置、地下熱利用空気調和機などのうちの少なくとも１つと空気調和機とから構成されるシステムなど。）などである。
【００２７】
ここでは、所定の空間に複数の空間が属しておりそれぞれの空間に少なくとも１台の空気調和機が設置されるような場合、その空間ごとに空気調和機の空調制御パラメータを導出することができ、またそれらの空気調和機を空間単位で制御することができる。したがって、緑化などされて空調負荷が不均一になっているようなビルなどにおいても十分な省エネルギー効果を得ることができる。
【００２８】
【発明の実施の形態】
本実施の形態では、ビルに設置される空気調和機を制御する空調制御システムについて説明する。なお、本実施の形態に示す空調制御システムは、空気調和機が冷房運転しているという前提の元に説明される。暖房の場合は温熱指標を変更したり各パラメータの関係を逆転させたりさせる必要があり得るが、本質的な考え方は冷房の場合と同様であることに留意されたい。
【００２９】
＜空調制御システムについて＞
［構成］
図１には、本実施の形態に係る空調制御システム４００のブロック図を示す。本空調制御システム４００は、複数台のマルチ式空気調和機１０、ステーション２０、コンピュータ３０および気象情報管理サーバ８０から構成される。なお、マルチ式空気調和機１０およびステーション２０は、ビル６０に設置される。また、そのステーション２０は、その管理室７０に設置される。コンピュータ３０は、情報管理センター５０に設置される。気象情報管理サーバ８０は、気象情報配信センター９０に設置される。
【００３０】
［システム構成要素の接続形態］
マルチ式空気調和機１０は、伝送線を介してステーション２０に接続される。ステーション２０は、ネットワーク４０を介してコンピュータ３０に接続される。そして、コンピュータ３０は、ネットワーク４０を介して気象情報管理サーバ８０に接続される。
【００３１】
［構成要素］
（１）マルチ式空気調和機１０
マルチ式空気調和機１０は、複数の室内機１１に対して１台の室外機１２を備える。なお、室内機１１と室外機１２とは、冷媒配管および伝送線を介して接続される。また、その室内機１１は、伝送線を介して全熱交換器ユニット１５に接続される。なお、本実施の形態では、このマルチ式空気調和機１０は、冷房運転をしているものとする。
【００３２】
（２）ステーション２０
ステーション２０は、制御部２１およびモデム２３を備える。制御部２１は、朝の４時５５分から１５分間隔でマルチ式空気調和機１０の運転情報（室内機１１の設定温度および室内機温度センサの値など。）やビル６０の内壁の放射温度を測定する温度センサの値などを収集し、それらの情報をコンピュータ３０に送信する。また、制御部２１は、コンピュータ３０から空調制御テーブルを受信した場合、その空調制御テーブルを既存の空調制御テーブルに上書きし更新する。そして、制御部２１は、その空調制御テーブルに基づいてマルチ式空気調和機１０の運転を制御する。モデム２３は、ステーション２０とコンピュータ３０との接続に用いられる。
【００３３】
（３）コンピュータ３０
コンピュータ３０は、空調制御パラメータ導出プログラム３１、管理データベース３２およびモデム３３を備える。空調制御パラメータ導出プログラム３１は、外気導入ルーチン３１ａ、冷凍サイクルルーチン３１ｂおよび設定温度ルーチン３１ｃを備える。外気導入ルーチン３１ａは、室内機１１の設定温度、およびビル６０の部屋を区画する壁の一部または空調区画を部分的に区画する壁の一部の放射温度を利用して全熱交換器ユニット１５のオン／オフ制御パラメータおよびマルチ式空気調和機１０の室内機１１のオン／オフ制御パラメータを導出する。冷凍サイクルルーチン３１ｂは、気象予報情報、室内機１１の設定温度、およびビル６０の部屋を区画する壁の一部または空調区画を部分的に区画する壁の一部の放射温度を利用して冷凍サイクルの運転抑制制御機能のオン／オフ制御パラメータを導出する。なお、この「冷凍サイクルの運転抑制制御機能」とは、例えば、室外機の能力制御（圧縮機の上限値の設定や蒸発温度の変更など。）や圧縮機の運転／停止間隔制御（間隔の固定化や閾値の変更など。）である。これらの制御に関しては、特許文献６に詳しい。設定温度ルーチン３１ｃは、気象予報情報、室内機１１の設定温度、およびビル６０の部屋を区画する壁の一部または空調区画を部分的に区画する壁の一部の放射温度を利用して設定温度パラメータを導出する。また、この空調制御パラメータ導出プログラム３１は、外気導入ルーチン３１ａ、冷凍サイクルルーチン３１ｂおよび設定温度ルーチン３１ｃにおいて導出された制御パラメータから空調制御テーブルを作成する。そして、コンピュータ３０は、この空調制御テーブルを前回の空調制御テーブルと比較して空調制御テーブルに変更が加えてられている場合、ネットワーク４０を介してステーション２０にその空調制御テーブルを送信する。管理データベース３２は、ステーション２０または気象情報管理サーバ８０から送信されてくる情報を蓄積する。モデム３３は、コンピュータ３０と気象情報管理サーバ８０との接続に用いられる。
【００３４】
（特許文献６）  特願２００２−２１７２８号公報（図１）
（４）気象情報管理サーバ８０
気象情報管理サーバ８０は、気象データベース８１およびモデム８２を備える。気象データベース８１は、様々な気象予報情報、例えば、地域・時間別の予想気温や予想湿度などを保持する。モデム８２は、気象情報管理サーバ８０とコンピュータ３０との接続に用いられる。
【００３５】
＜ビル６０について＞
［ビル６０の外的構成］
図２には、制御対象となるマルチ式空気調和機１０が設置されるビル６０の斜視図を示す。ビル６０の屋上には、貯水タンク６４、屋上出口６３およびマルチ式空気調和機１０の室外機１２が設けられている。なお、貯水タンク６４、屋上出口６３および室外機１２により占有されていないスペースには、緑化スペース６１，６２が設けられている。なお、この緑化スペース６１，６２は、ヒートアイランド現象の緩和、およびビル６０の空調負荷の低減を目的として設けられている。また、その空調負荷の低減効果は、緑化スペース６１，６２に近いほど大きくなるといわれている。このビル６０では、緑化スペース６１，６２がその屋上全体を覆っていない。このため、このビル６０には、Ｚ軸方向だけでなくＸ軸方向およびＹ軸方向にも比較的不均一な空調負荷が発生すると推察される（各軸に関しては、図２の右下を参照）。
【００３６】
［ビル６０の内的構成］
図２において図番１００で示す区画および図番１１０で示す区画の空調設備の態様を図３および図４にそれぞれ示す。
図３において、区画１００には、部屋１００ａ，１００ｂが２つある。それぞれの部屋１００ａ，１００ｂには１台の室内機１１が設けられる。この室内機１１は、伝送線および冷媒配管２０３ａ，２０３ｂを介して、屋上に設置されている室外機１２と接続される。なお、冷媒配管（液管）２０３ａには、電子膨張弁２０２が設けられる。また、この室内機１１は、伝送線を介してコントローラ２０４と接続される。さらに、このコントローラ２０４には、温度センサ２０５が設けられる。その温度センサ２０５は、その近傍にある壁１５２の放射温度を測定する。また、各室内機１１は、伝送線を介して全熱交換器ユニット１５と接続される。そして、この全熱交換器ユニット１５の片端はダクト配管３０２ａ，３０２ｂを介して各部屋１００ａ，１００ｂに接続され、その反対側の片端は外壁１５１を貫通するダクト配管３０２ａ，３０２ｂを介して外空間に接続される。なお、この全熱交換器ユニット１５は、ステーション２０から発せられる指令に従って運転／停止を行う。
【００３７】
図４において、区画１１０には、部屋が１つある。その部屋には２台の室内機１１が設けられる。この場合、室内機１１の制御は、部屋単位で行われず空調区画単位で行われる。ここで、空調区画１１０ａ，１１０ｂは、天井、床、壁１５１，１５２および空調領域の境界面５００（図２において、奥方向に広がっている。）により仕切られていると考える。もちろん、境界面５００は、視覚的に認識することはできない。つまり、この境界面５００は、各室内機１１がその空調能力を十分に発揮できる領域の目安に過ぎない。なお、もし室内機１１の空調能力がその部屋の大きさなどに対して十分でない場合、その空調区画は、天井、床および複数の境界面により仕切られると考えることがあり得る。これは、一部屋に１台の室内機１１が設置される場合でも同様である。このような場合には、天井または床の放射温度を測定する必要がある。
＜空調制御パラメータの導出について＞
［空調制御パラメータ導出の流れ］
図５には、空調制御パラメータ導出の流れを表すフローチャートを示す。
【００３８】
図５において、ステップＳ１１からステップＳ１６に示す処理は、あらかじめスケジュールされた日の５：００から２２：００まで１５分間隔で実行される。ステップＳ１１では、コンピュータ３０が、現時刻が第１処理時刻であるかを確認する。なお、ここで、第１処理時刻は、５：００である。ステップＳ１１の確認の結果、現時刻が第１処理時刻である場合は、ステップＳ１２に移る。ステップＳ１１の確認の結果、現時刻が第１処理時刻でない場合は、ステップＳ１４に移る。ステップＳ１２では、コンピュータ３０が、ステーション２０から送信されるビル６０の各部屋の放射温度Ｔｋｍを受信し、その放射温度情報を管理データベース３２に格納する。ステップＳ１３では、コンピュータ３０が、気象情報管理サーバ８０から送信される気象予報情報を受信し、その気象予報情報を管理データベース３２に記憶する。なお、ここで、気象予報情報とは、ビル６０が存在する地域のその日の１５分おきの予想気温および予想湿度などである。冷凍サイクルルーチンＲ１では、コンピュータ３０が、気象予報情報、室内機１１の設定温度、およびビル６０の部屋１００ａ，１００ｂを区画する壁１５１，１５２の一部または空調区画１１０ａ，１１０ｂを部分的に区画する壁１５１，１５２の一部の放射温度を利用して冷凍サイクルの運転抑制制御機能のオン／オフ制御パラメータを導出する。ステップＳ１４では、現時刻が第２処理時刻であるかを確認する。なお、ここで、第２処理時刻は、５：００から２２：００までの１５分間隔の時刻である。ステップＳ１４の確認の結果、現時刻が第２処理時刻である場合は、外気導入ルーチンＲ２に移る。ステップＳ１４の確認の結果、現時刻が第２処理時刻でない場合は、ステップＳ１５に移る。外気導入ルーチンＲ２では、コンピュータ３０が、室内機１１の設定温度、およびビル６０の部屋１００ａ，１００ｂを区画する壁１５１，１５２の一部または空調区画１１０ａ，１１０ｂを部分的に区画する壁１５１，１５２の一部の放射温度を利用して全熱交換器ユニット１５のオン／オフ制御パラメータおよびマルチ式空気調和機１０の室内機１１のオン／オフ制御パラメータを導出する。設定温度ルーチンＲ３では、コンピュータ３０が、気象予報情報（外気温や外気絶対湿度の情報など。）、室内機１１の設定温度、およびビル６０の部屋１００ａ，１００ｂを区画する壁１５１，１５２の一部または空調区画１１０ａ，１１０ｂを部分的に区画する壁１５１，１５２の一部の放射温度を利用して設定温度パラメータを導出する。ステップＳ１５では、空調制御パラメータ導出プログラム３１が、冷凍サイクルルーチンＲ１、外気導入ルーチンＲ２および設定温度ルーチンＲ３において導出された各制御パラメータから空調制御テーブルを作成する。ステップＳ１６では、コンピュータ３０が、その空調制御テーブルを前回の空調制御テーブルと比較して空調制御テーブルに変更が加えられているかを確認する。ステップＳ１６の確認の結果、その空調制御パラメータに変更が加えられている場合は、ステップＳ１７に移る。ステップＳ１６の確認の結果、空調制御パラメータに変更が加えられていない場合は、コンピュータ３０は、次の処理時刻まで待機する。ステップＳ１７では、コンピュータ３０が、その変更が加えられた空調制御テーブルをステーション２０に送信する。
【００３９】
［冷凍サイクルルーチン３１ｂ］
図６には、冷凍サイクルルーチン３１ｂの処理の流れを表すフローチャートを示す。
図６において、ステップＳ２１では、コンピュータ３０が、外気不快指数Ａｓを求める。ステップＳ２２では、コンピュータ３０が、室内機１１（接続されている室外機１２が同じものに限る。）が設置される各部屋１００ａ，１００ｂまたは各空調区画１１０ａ，１１０ｂに対して設けられる温度センサ２０５から放射温度Ｔｋｍを収集し、それらの放射温度Ｔｋｍの最小値Ｔｋｍ（Ｍｉｎ）を出力する。ステップＳ２３では、コンピュータ３０が、最小値Ｔｋｍ（Ｍｉｎ）に該当する部屋１００ａ，１００ｂまたは空調区画１１０ａ，１１０ｂの室内機１１の設定温度Ｔｒがその最小値Ｔｋｍ（Ｍｉｎ）以上であるかを確認する。ステップＳ２３の確認の結果、その室内機１１の設定温度Ｔｒがその最小値Ｔｋｍ（Ｍｉｎ）以上である場合は、ステップＳ２５に移る。ステップＳ２３の確認の結果、その室内機１１の設定温度Ｔｒがその最小値Ｔｋｍ（Ｍｉｎ）未満である場合は、ステップＳ２４に移る。ステップＳ２４では、コンピュータ３０が、比較不快指数Ａｃが限界不快指数Ａｓに等しいとする処理を行う。ステップＳ２５では、コンピュータ３０が、限界不快指数Ａｓに補正項Ｃ（Ｔｒ−Ｔｋｍ（Ｍｉｎ））を足したものを比較不快指数Ａｃとする処理を行う。ステップＳ２６では、コンピュータ３０が、外気不快指数Ａｓが比較不快指数Ａｃ以下であるかを確認する。ステップＳ２６の確認の結果、外気不快指数Ａｓが比較不快指数Ａｃ以下である場合は、ステップＳ２７に移る。ステップＳ２６の確認の結果、外気不快指数Ａｓが比較不快指数Ａｃよりも大きい場合は、ステップＳ２８に移る。ステップＳ２７では、コンピュータ３０が、冷凍サイクルの運転抑制制御機能オン／オフ制御パラメータを「オン」とする。ステップＳ２８では、コンピュータ３０が、冷凍サイクルの運転抑制制御機能オン／オフ制御パラメータを「オフ」とする。
【００４０】
［外気導入ルーチン３１ａ］
図７には、外気導入ルーチン３１ａの処理の流れを表すフローチャートを示す。
図７において、ステップＳ３１では、コンピュータ３０が、室内機１１の設定温度Ｔｒがその室内機１１が設置されている部屋１００ａ，１００ｂを区画する壁１５１，１５２または空調区画１１０ａ，１１０ｂを部分的に区画する壁１５１，１５２の放射温度Ｔｋｍ以上であるかを確認する。ステップＳ３１の確認の結果、設定温度Ｔｒがその壁１５１，１５２の放射温度Ｔｋｍ以上である場合は、ステップＳ３３に移る。ステップＳ３１の確認の結果、設定温度Ｔｒがその壁１５１，１５２の放射温度Ｔｋｍ未満である場合は、ステップＳ３２に移る。ステップＳ３２では、コンピュータ３０が、比較温度差ΔＴｃが基準温度差ΔＴｂに等しいとする処理を行う。ステップＳ３３では、コンピュータ３０が、基準温度差ΔＴｂに補正項−（Ｔｒ−Ｔｋｍ）／２を足したものを比較温度差ΔＴｃとする処理を行う。ステップＳ３４では、コンピュータ３０が、設定温度Ｔｒと外気温度Ｔｏｍとの差（Ｔｒ−Ｔｏｍ）が比較温度差ΔＴｃ以上であるかを確認する。ステップＳ３４の確認の結果、差（Ｔｒ−Ｔｏｍ）が比較温度差ΔＴｃ以上である場合は、ステップＳ３５に移る。ステップＳ３４の確認の結果、差（Ｔｒ−Ｔｏｍ）が比較温度差ΔＴｃ未満である場合は、ステップＳ３８に移る。ステップＳ３５では、コンピュータ３０が、全熱交換器ユニット１５のオン／オフ制御パラメータを「オン」とする。ステップＳ３６では、コンピュータ３０が、室内機１１の室内ファンのオン／オフ制御パラメータを「オフ」とする。ステップＳ３７では、コンピュータ３０が、電子膨張弁２０２の開閉制御パラメータを「閉」とする。ステップＳ３８では、コンピュータ３０が、全熱交換器ユニット１５のオン／オフ制御パラメータを「オフ」とする。ステップＳ３９では、コンピュータ３０が、室内機１１の室内ファンのオン／オフ制御パラメータを「オン」とする。ステップＳ４０では、コンピュータ３０が、電子膨張弁２０２の開閉制御パラメータを「開」とする。
【００４１】
なお、このとき、給気は、全熱交換器ユニット１５の熱交換エレメントを介さずに行われる。
［設定温度ルーチン３１ｃ］
図８には、設定温度ルーチン３１ｃの処理の流れを表すフローチャートを示す。
【００４２】
図８において、ステップＳ４１では、コンピュータ３０が、気象予報情報（外気温や外気湿度の情報など。）を利用してその部屋１００ａ，１００ｂまたは空調区画１１０ａ，１１０ｂの体感温度Ｔａを求める。ステップＳ４２では、コンピュータ３０が、室内機１１の設定温度Ｔｒがその室内機１１が設置されている部屋１００ａ，１００ｂを区画する壁１５１，１５２または空調区画１１０ａ，１１０ｂを部分的に区画する壁１５１，１５２の放射温度Ｔｋｍ以上であるかを確認する。ステップＳ４２の確認の結果、設定温度Ｔｒがその壁１５１，１５２の放射温度Ｔｋｍ以上である場合は、ステップＳ４４に移る。ステップＳ４２の確認の結果、設定温度Ｔｒがその壁１５１，１５２の放射温度Ｔｋｍ未満である場合は、ステップＳ４３に移る。ステップＳ４３では、コンピュータ３０が、設定温度Ｔｒが新設定温度Ｔｓに等しいとする処理を行う。ステップＳ３３では、コンピュータ３０が、新設定温度Ｔｓが２Ｔａ−Ｔｋｍに等しいとする処理を行う。なお、このＴｓ＝２Ｔａ−Ｔｋｍという式は標準作用温度を表す［式１］から導き出される式である。
【００４３】
［式１］    Ｔａ＝（Ｔｓ＋Ｔｋｍ）／２
ステップＳ４５では、コンピュータ３０が、設定温度パラメータを「Ｔｓ」に変更する。
＜空調制御システム４００の特徴＞
（１）
本実施の形態に係る空調制御システム４００では、ビル６０において部屋１００ａ，１００ｂまたは空調区画１１０ａ，１１０ｂごとに、その部屋１００ａ，１００ｂを区画する壁１５１，１５２または空調区画を部分的に区画する壁１５１，１５２の放射温度が考慮されて室内機１１の室内ファンの運転／停止、電子膨張弁２０２の開閉および全熱交換器ユニット１５の運転／停止の判断が行われる。例えば、冷房時において、設定温度と外気温との間に十分な差がない場合であっても壁１５１，１５２の放射温度が低ければ、マルチ式空気調和機１０の室内機１１の室内ファンが停止し、膨張弁２０２が閉まり、全熱交換器１５が積極的に外気導入を行う。また、それ以外の場合は、マルチ式空気調和機１０の室内機１１の室内ファンが運転し、膨張弁２０２が開き、全熱交換器ユニット１５が停止する。このため、本実施の形態に示したビル６０のようにその空調負荷が比較的不均一な建造物であっても外気導入のタイミングを適切に判断することができる。したがって、従来技術を用いるよりも長く外気導入を行うことができる。また、外気導入が長くなることにより、マルチ式空気調和機１０が消費する消費エネルギー量を小さくすることができる。
【００４４】
（２）
本実施の形態に係る空調制御システム４００では、ビル６０において部屋１００ａ，１００ｂ，または空調区画１１０ａ，１１０ｂごとに、その部屋１００ａ，１００ｂを区画する壁１５１，１５２または空調区画１１０ａ，１１０ｂを部分的に区画する壁１５１，１５２の放射温度が考慮されて冷凍サイクルの運転が制御される。このため、本実施の形態に示したビル６０のようにその空調負荷が比較的不均一な建造物であっても圧縮機の発停頻度をトータルとして簡便かつ適切に抑制することができる。
【００４５】
（３）
本実施の形態に係る空調制御システム４００では、ビル６０において部屋１００ａ，１００ｂまたは空調区画１１０ａ，１１０ｂごとに、放射温度が室内機１１の設定温度よりも低いときはその設定温度を高くし、放射温度が室内機１１の設定温度よりも高いときはその設定温度を維持するように空調制御パラメータが導出される。このため、本実施の形態に示したビル６０のようにその空調負荷が比較的不均一な建造物であっても、空気調和機の消費電力量を、在室者の快適感を損なうことなく十分に低減することができる。
【００４６】
＜変形例＞
（１）
先の実施の形態に係る空調制御システム４００では、制御対象の空気調和機がマルチ式空気調和機１０であったが、これに代えて、制御対象を個別パッケージ式空気調和機としてもよい。この場合、冷凍サイクルルーチン３１ｂにおける冷凍サイクルの運転抑制制御機能パラメータの導出を各部屋１００ａ，１００ｂまたは各空調区画１１０ａ，１１０ｂに対して行うことができる。また、外気導入ルーチン３１ａにおいては、外気のみで冷房可能な場合は、外気を取り込むと同時にその空気調和機（圧縮機など。）を停止させてもよい。このようにすれば、マルチ式空気調和機１０よりも大きな省エネルギー効果を得ることができる可能性がある。
【００４７】
（２）
先の実施の形態に係る空調制御システム４００では、温度センサ２０５によりビル６０の部屋１００ａ，１００ｂを区画する壁１５１，１５２の一部または空調区画１１０ａ，１１０ｂを部分的に区画する壁１５１，１５２の一部の放射温度を測定したが、これに代えて、温度センサ２０５によりビル６０の部屋１００ａ，１００ｂを区画する天井もしくは床の一部、または空調区画１１０ａ，１１０ｂを部分的に区画する天井もしくは床の一部の放射温度を測定してもよい。
【００４８】
（３）
先の実施の形態に係る空調制御システム４００では、温度センサ２０５によりビル６０の部屋１００ａ，１００ｂを区画する壁１５１，１５２の一部または空調区画１１０ａ，１１０ｂを部分的に区画する壁１５１，１５２の一部の放射温度を測定したが、これに代えて、温度センサ２０５によりビル６０の部屋１００ａ，１００ｂを区画する躯体全体または空調区画１１０ａ，１１０ｂを部分的に区画する躯体全体の放射温度を測定してもよい。このような測定は、サーモトレーサーなどを用いることにより可能となる。この場合、若干の設備費や工事費などがかかるが、精度よく躯体の温度を測定できる。
【００４９】
（４）
先の実施の形態に係る冷凍サイクルルーチン３１ｂでは、ビル６０の部屋１００ａ，１００ｂを区画する壁１５１，１５２の一部または空調区画１１０ａ，１１０ｂを部分的に区画する壁１５１，１５２の一部の放射温度を考慮して冷凍サイクルの運転抑制制御機能オン／オフ制御パラメータを導出したが、さらにその部屋１００ａ，１００ｂまたは空調区画１１０ａ，１１０ｂの発熱量を考慮して冷凍サイクルの運転抑制制御機能オン／オフ制御パラメータを導出してもよい。このようにすれば、部屋１００ａ，１００ｂを区画する躯体や空調区画１１０ａ，１１０ｂを部分的に区画する躯体などの周りから生じる空調負荷だけでなく部屋１００ａ，１００ｂの内部に存在する物体から生じる空調負荷をも制御パラメータに反映させることができる。なお、発熱量は、計測値であっても推定値であってもよい。また、発熱量の推定は、人数検知センサ、赤外線カメラ、サーモトレーサー、在不在に応じてＯＮ／ＯＦＦする照明（ＯＮ／ＯＦＦ状態の時間からの推定）および部屋１００ａ，１００ｂの消費電力量などにより可能である。この場合、図９および図１０に示されるフローチャートのように冷凍サイクルの運転抑制制御機能オン／オフ制御パラメータが導出される。
【００５０】
図９および図１０において、ステップＳ５１では、コンピュータ３０が、外気不快指数Ａｓを求める。ステップＳ５２では、コンピュータ３０が、室内機１１（同じ室外機１２に接続されているものに限る。）が設置される各部屋１００ａ，１００ｂまたは各空調区画１１０ａ，１１０ｂに対して設けられる温度センサ２０５から放射温度Ｔｋｍを収集し、それらの放射温度Ｔｋｍの最小値Ｔｋｍ（Ｍｉｎ）を出力する。ステップＳ５３では、コンピュータ３０が、その部屋１００ａ，１００ｂまたは空調区画１１０ａ，１１０ｂの発熱量Ｑｃを求める。ステップＳ５４では、最小値Ｔｋｍ（Ｍｉｎ）に該当する部屋１００ａ，１００ｂまたは空調区画１１０ａ，１１０ｂの室内機１１の設定温度Ｔｒがその最小値Ｔｋｍ（Ｍｉｎ）以上であるかを確認する。ステップＳ５４の確認の結果、その室内機１１の設定温度Ｔｒがその最小値Ｔｋｍ（Ｍｉｎ）以上である場合は、ステップＳ５６に移る。ステップＳ５４の確認の結果、その室内機１１の設定温度Ｔｒがその最小値Ｔｋｍ（Ｍｉｎ）未満である場合は、ステップＳ５５に移る。ステップＳ５５では、コンピュータ３０が、第１比較不快指数Ａｃ１が限界不快指数Ａｓに等しいとする処理を行う。ステップＳ５６では、コンピュータ３０が、限界不快指数Ａｓに補正項Ｃ（Ｔｒ−Ｔｋｍ（Ｍｉｎ））を足したものを第１比較不快指数Ａｃ１とする処理を行う。ステップＳ５７では、コンピュータ３０が、基準発熱量Ｑｂがその部屋１００ａ，１００ｂまたは空調区画１１０ａ，１１０ｂの発熱量Ｑｃ以上であるかを確認する。ステップＳ５７の確認の結果、基準発熱量Ｑｂがその部屋１００ａ，１００ｂまたは空調区画１１０ａ，１１０ｂの発熱量Ｑｃ以上である場合は、ステップＳ５９に移る。ステップＳ５７の確認の結果、基準発熱量Ｑｃがその部屋１００ａ，１００ｂまたは空調区画１１０ａ，１１０ｂの発熱量Ｑｃ未満である場合は、ステップＳ５８に移る。ステップＳ５８では、コンピュータ３０が、第２比較不快指数Ａｃ２が第１比較不快指数Ａｃ１に等しいとする処理を行う。ステップＳ５９では、コンピュータ３０が、第１比較不快指数Ａｃ１に補正項Ｄ（Ｑｂ−Ｑｃ）を足したものを第２比較不快指数Ａｃ２とする処理を行う。ステップＳ６０では、コンピュータ３０が、外気不快指数Ａｓが第２比較不快指数Ａｃ２以下であるかを確認する。ステップＳ６０の確認の結果、外気不快指数Ａｓが第２比較不快指数Ａｃ２以下である場合は、ステップＳ６１に移る。ステップＳ６０の確認の結果、外気不快指数Ａｓが第２比較不快指数Ａｃ２よりも大きい場合は、ステップＳ６２に移る。ステップＳ６１では、コンピュータ３０が、冷凍サイクルの運転抑制制御機能オン／オフ制御パラメータを「オン」とする。ステップＳ６２では、コンピュータ３０が、冷凍サイクルの運転抑制制御機能オン／オフ制御パラメータを「オフ」とする。
【００５１】
（５）
先の実施の形態に係る外気導入ルーチン３１ａでは、図７に示すステップＳ３１からステップＳ４０までの処理が行われたが、これに代えて、図１１に示すステップＳ７１からステップＳ８０までの処理が行われてもよい。なお、このとき、給気は、全熱交換器ユニット１５の熱交換エレメントを介さずに行われる。
【００５２】
図１１において、ステップＳ７１では、コンピュータ３０が、室内機１１の設定温度Ｔｒがその室内機１１が設置されている部屋１００ａ，１００ｂを区画する壁１５１，１５２または空調区画１１０ａ，１１０ｂを部分的に区画する壁１５１，１５２の放射温度Ｔｋｍ以上であるかを確認する。ステップＳ７１の確認の結果、その設定温度Ｔｒがその壁１５１，１５２の放射温度Ｔｋｍ以上である場合は、ステップＳ７３に移る。ステップＳ７１の確認の結果、その設定温度Ｔｒがその壁１５１，１５２の放射温度Ｔｋｍ未満である場合は、ステップＳ７２に移る。ステップＳ７２では、コンピュータ３０が、比較外気温度Ｔｃが基準外気温度Ｔｂに等しいとする処理を行う。ステップＳ７３では、コンピュータ３０が、基準外気温度Ｔｂに補正項−（Ｔｒ−Ｔｋｍ）／２を足したものを比較外気温度Ｔｃとする処理を行う。ステップＳ７４では、コンピュータ３０が、その部屋１００ａ，１００ｂまたは空調区画１１０ａ，１１０ｂの室内温度Ｔｒｍがその設定温度Ｔｒよりも大きく且つ外気温度Ｔｏｍが比較温度Ｔｃ未満であるかを確認する。ステップＳ７４の確認の結果、その部屋１００ａ，１００ｂまたは空調区画１１０ａ，１１０ｂの室内温度Ｔｒｍがその設定温度Ｔｒよりも大きく且つ外気温度Ｔｏｍが比較温度Ｔｃ未満である場合は、ステップＳ７５に移る。ステップＳ７４の確認の結果、その部屋１００ａ，１００ｂまたは空調区画１１０ａ，１１０ｂの室内温度Ｔｒｍがその設定温度Ｔｒよりも大きく且つ外気温度Ｔｏｍが比較温度Ｔｃ未満でない場合は、ステップＳ７８に移る。ステップＳ７５では、コンピュータ３０が、全熱交換器ユニット１５のオン／オフ制御パラメータを「オン」とする。ステップＳ７６では、コンピュータ３０が、室内機１１の室内ファンのオン／オフ制御パラメータを「オフ」とする。ステップＳ７７では、コンピュータ３０が、電子膨張弁２０２の開閉制御パラメータを「閉」とする。ステップＳ７８では、コンピュータ３０が、全熱交換器ユニット１５のオン／オフ制御パラメータを「オフ」とする。ステップＳ７９では、コンピュータ３０が、室内機１１の室内ファンのオン／オフ制御パラメータを「オン」とする。ステップＳ８０では、コンピュータ３０が、電子膨張弁２０２の開閉制御パラメータを「開」とする。
【００５３】
（６）
先の実施の形態に係る空調制御システム４００では、全熱交換器ユニット１５が直接外気を室内に取り込んだが、これに代えて、全熱交換器ユニット１５が、その一部が地中に設けられる配管を介して外気を取り込んでもよい。一般に、地中は常にほぼ一定の温度に保たれている。つまり、比較的暑い時期では地中の温度が外気の温度よりも低く、比較的寒い時期では地中の温度が外気の温度よりも高い。このため、外気は地中の配管を通る際に、地中の熱と熱交換を起こす。したがって、比較的暑い時期では外気が冷却され、比較的寒い時期では、外気が加熱される。このようにすれば、ビル６０をさらに効率的に省エネルギー化することができる。
【００５４】
（７）
先の実施の形態に係る空調制御システム４００では、区画１００に、図３に示すような空調設備が導入されたが、これに代えて、区画１００に、図１２に示すような空調設備が導入されてもよい。図１２に示す区画１００では、各部屋１００ａ，１００ｂに対して１台の給気ファン３１１が設けられている。また、複数の排気ファン３１３が、天井裏に設けられている。さらに、各排気ファン３１３の位置に対応するように温度センサ２０５が設けられる。なお、この温度センサ２０５は、天井の放射温度を測定する。加えて、外気導入経路が２つ（外気を直接取り込む経路、および外気をその一部が地中に設けられる配管３２０を介して取り込む経路。）設けられており、その分岐点には三方電磁弁３１９が設けられる。この場合、図１３および図１４に示されるフローチャートのように制御パラメータが導出される。
【００５５】
図１３および図１４において、ステップＳ１０１では、コンピュータ３０が、室内機１１の設定温度Ｔｒがその室内機１１が設置されている部屋１００ａ，１００ｂを区画する壁１５１，１５２の放射温度Ｔｋｍ以上であるかを確認する。ステップＳ１０１の確認の結果、設定温度Ｔｒがその壁１５１，１５２の放射温度Ｔｋｍ以上である場合は、ステップＳ１０３に移る。ステップＳ１０１の確認の結果、設定温度Ｔｒがその壁１５１，１５２の放射温度Ｔｋｍ未満である場合は、ステップＳ１０２に移る。ステップＳ１０２では、コンピュータ３０が、第１比較温度差ΔＴｃ１が第１基準温度差ΔＴｂ１に等しいとする処理を行う。ステップＳ１０３では、コンピュータ３０が、第１基準温度差ΔＴｂ１に補正項−（Ｔｒ−Ｔｋｍ）／２を足したもの第１比較温度差ΔＴｃ１とする処理を行う。ステップＳ１０４では、コンピュータ３０が、第２比較温度差ΔＴｃ２が第２基準温度差ΔＴｂ２に等しいとする処理を行う（なお、第１基準温度差ΔＴｂ１と第２基準温度差ΔＴｂ２とは、ΔＴｂ１＜ΔＴｂ２となるように設定される。）。ステップＳ１０５では、コンピュータ３０が、第２基準温度差ΔＴｂ２に補正項−（Ｔｒ−Ｔｋｍ）／２を足したもの第２比較温度差ΔＴｃ２とする処理を行う。ステップＳ１０６では、コンピュータ３０が、室内機１１の設定温度Ｔｒと外気温度Ｔｏｍの差（Ｔｒ−Ｔｏｍ）、第１比較温度差ΔＴｃ１、および第２比較温度差ΔＴｃ２に基づいて判断を行う。ステップＳ１０６の判断の結果、差（Ｔｒ−Ｔｏｍ）が第１比較温度ΔＴｃ１未満である場合は、ステップＳ１０７に移る。ステップＳ１０６の判断の結果、差（Ｔｒ−Ｔｏｍ）が第１比較温度ΔＴｃ１以上であり且つ第２比較温度ΔＴｃ２未満である場合は、ステップＳ１１１に移る。ステップＳ１０６の判断の結果、差（Ｔｒ−Ｔｏｍ）が第２比較温度差ΔＴｃ２以上である場合は、ステップＳ１１６に移る。ステップＳ１０７では、コンピュータ３０が、給気ファン３１１のオン／オフ制御パラメータを「オフ」とする。ステップＳ１０８では、コンピュータ３０が、すべての排気ファン３１３のオン／オフ制御パラメータを「オフ」とする。ステップＳ１０９では、コンピュータ３０が、室内機１１の室内ファンのオン／オフ制御パラメータを「オン」とする。ステップＳ１１０では、コンピュータ３０が、電子膨張弁２０２の開閉制御パラメータを「開」とする。ステップＳ１１１では、コンピュータ３０が、外気を、地下配管３２０を介して取り込むように三方電磁弁３１９の制御パラメータを設定する。ステップＳ１１２では、コンピュータ３０が、給気ファン３１１のオン／オフ制御パラメータを「オン」とする。ステップＳ１１３では、コンピュータ３０が、最も高い温度を示している温度センサ２０５の位置に対応する排気ファン３１３のオン／オフ制御パラメータを「オン」とする。ステップＳ１１４では、コンピュータ３０が、室内機１１の室内ファンのオン／オフ制御パラメータを「オフ」とする。ステップＳ１１５では、コンピュータ３０が、電子膨張弁２０２の開閉制御パラメータを「閉」とする。ステップＳ１１６では、コンピュータ３０が、外気を直接取り込むように三方電磁弁３１９の制御パラメータを設定する。ステップＳ１１７では、コンピュータ３０が、給気ファン３１１のオン／オフ制御パラメータを「オン」とする。ステップＳ１１８では、コンピュータ３０が、最も高い温度を示している温度センサ２０５の位置に対応する排気ファン３１３のオン／オフ制御パラメータを「オン」とする。ステップＳ１１９では、コンピュータ３０が、室内機１１の室内ファンのオン／オフ制御パラメータを「オフ」とする。ステップＳ１２０では、コンピュータ３０が、電子膨張弁２０２の開閉制御パラメータを「閉」とする。
【００５６】
このようにすれば、ビル６０を、在室者の快適感を損なうことなくさらに効率よく省エネルギー化することができる。
また、図１５に示すように、排気ダクト３０２ｂに一つしか排気ファン３１７が設けられていないような場合には、排気ダンパ３１５の開閉または開閉度を制御してもかまわない。さらに、温度センサ２０５を撤去して、緑化情報（緑化場所からの距離など。）のみから排気ファン３１３の運転の優先順位を定めておいてもよい。
【００５７】
（８）
先の実施の形態に係る設定温度ルーチン３１ｃでは、図８に示すステップＳ４１からステップＳ４５までの処理が行われたが、これに代えて、図１６に示すステップＳ９１からステップＳ９６までの処理が行われてもよい。
ここでは、図１６に示すフローチャートの説明を行う前に、ステップＳ９３およびステップＳ９４の処理内容を理解するための基礎事項について説明する。本変形例に係る設定温度ルーチンには、あらかじめ図１７に示すようなテーブルが用意されている。このテーブルにおいて室内絶対湿度Ａｉは、いずれの快適限界温度Ｔｍにおいても不快指数が７４．６になるように定められている。また、この室内絶対温度Ａｉと外気絶対湿度Ａｏとは直線関係で表されることが本願出願人の検証によって明らかにされている。なお、外気絶対湿度Ａｏは、気象情報から得ることができる。このため、この関係を利用すれば、気象情報から室内絶対湿度Ａｉを予測することができる。そして、予測された室内絶対湿度Ａｉに基づいて室内の不快指数が７４．６を保つように設定温度を変更することができる。このため、例えば、室内の湿度が低くなれば、快適限界温度が上昇する。したがって、設定温度を上げることができる。このため、この方法は、空気調和機の省エネルギー化に貢献する。なお、この方法に関しては、特許文献７に詳しい。しかしながら、この特許文献７に示された方法では、ビル６０のように不均一な温度分布が発生しやすい場合であっても均一にしか設定温度を変更することができない。なぜなら、気象情報から得られる外気絶対湿度Ａｏが１つだからである。そこで、そのようなビル６０にも対応できるように、先のテーブルを図１８に示すように改良した。ここで、外気絶対湿度Ａｏには、補正項Ａ（Ｔｍ）が加えられる。なお、この補正項Ａ（Ｔｍ）の内容は、図１６に示すフローチャートのステップＳ９３とステップＳ９４に示されている。つまり、部屋１００ａ，１００ｂを区画する躯体の温度または空調区画１１０ａ，１１０ｂを部分的に区画する躯体の温度が設定温度よりも低い場合にその躯体の温度に即したテーブルを作成するわけである。このため、不均一な温度分布が発生しやすいビル６０であっても、部屋１００ａ，１００ｂまたは空調区画１１０ａ，１１０ｂごとにその躯体温度に応じてその設定温度を変更することができる。なお、このとき、その部屋１００ａ，１００ｂまたは空調区画１１０ａ，１１０ｂにおける体感温度は、図１８の最右列の値になる。
【００５８】
（特許文献７）  特開２００３−７４９４３号公報（第６項、表１）
図１６において、ステップＳ９１では、コンピュータ３０が、気象予報情報から外気絶対湿度Ａｏｂを求める。ステップＳ９２では、コンピュータ３０が、室内機１１の設定温度Ｔｒがその室内機１１が設置されている部屋１００ａ，１００ｂを区画する壁１５１，１５２または空調区画１１０ａ，１１０ｂを部分的に区画する壁１５１，１５２の放射温度Ｔｋｍ以上であるかを確認する。ステップＳ９２の確認の結果、その設定温度Ｔｒがその壁１５１，１５２の放射温度Ｔｋｍ以上である場合は、ステップＳ９４に移る。ステップＳ９２の確認の結果、設定温度Ｔｒがその壁１５１，１５２の放射温度Ｔｋｍ未満である場合は、ステップＳ９３に移る。ステップＳ９３の処理は、快適限界温度Ｔｍが１８℃から３０℃まで１℃ずつ行われる。ステップＳ９３では、コンピュータ３０が、補正項Ａ（Ｔｍ）がすべて０に等しいとする処理を行う。ステップＳ９４の処理も、快適限界温度Ｔｍが１８℃から３０℃まで１℃ずつ行われる。ステップＳ９４では、コンピュータ３０が、補正項Ａ（Ｔｍ）がＣ（Ｔｍ）×（Ｔｍ−Ｔｋｍ）に等しいとする処理を行う。ステップＳ９５では、コンピュータ３０が、Ａｏ（Ｔｍ）≦Ａｏｂ＜Ａｏ（Ｔｍ＋１）の条件を満たす快適限界温度Ｔｍを導出する。ステップＳ９６では、コンピュータ３０が、設定温度パラメータを「Ｔｍ」とする。
【００５９】
このようにすれば、間接的に体感温度を考慮したような空調制御を行うことができる
（９）
先の実施の形態に係る空調制御システム４００では、図５に示すステップＳ１１からステップＳ１７までの処理が行われたが、これに代えて、図１９に示すステップＳ１３１からステップＳ１３９までの処理が行われてもよい。
【００６０】
図１９において、ステップＳ１３１からステップＳ１３９に示す処理は、あらかじめスケジュールされた日の５：００から２２：００まで１５分間隔で実行される。ステップＳ１３１では、コンピュータ３０が、現時刻が第１処理時刻であるかを確認する。なお、ここで、第１処理時刻は、５：００である。ステップＳ１３１の確認の結果、現時刻が第１処理時刻である場合は、ステップＳ１３２に移る。ステップＳ１３１の確認の結果、現時刻が第１処理時刻でない場合は、ステップＳ１３４に移る。ステップＳ１３２では、コンピュータ３０が、ステーション２０から送信されるビル６０の各部屋の放射温度Ｔｋｍを受信し、その放射温度情報を管理データベース３２に格納する。ステップＳ１３３では、コンピュータ３０が、現時刻が第３処理時刻であるかを確認する。なお、ここで、第３処理時刻は、５：００から２２：００までの１時間間隔の時刻である。ステップＳ１３３の確認の結果、現時刻が第３処理時刻である場合は、ステップＳ１３４に移る。ステップＳ１３２の確認の結果、現時刻が第３処理時刻でない場合は、ステップＳ１３５に移る。ステップＳ１３４では、コンピュータ３０が、気象情報管理サーバ８０から送信される気象情報を受信し、その気象情報を管理データベース３２に記憶する。なお、ここで、気象情報とは、ビル６０が存在する地域のその日の１５分おきの予想気温および予想湿度などである。ステップＳ１３５では、コンピュータ３０が、現時刻が第４処理時刻であるかを確認する。なお、ここで、第４処理時刻は、５：００である。ステップＳ１３５の確認の結果、現時刻が第４処理時刻である場合は、冷凍サイクルルーチンＲ１に移る。ステップＳ１３５の確認の結果、現時刻が第４処理時刻でない場合は、ステップＳ１３６に移る。冷凍サイクルルーチンＲ１では、コンピュータ３０が、気象情報、室内機１１の設定温度、およびビル６０の部屋１００ａ，１００ｂを区画する壁１５１，１５２の一部または空調区画１１０ａ，１１０ｂを部分的に区画する壁１５１，１５２の一部の放射温度を利用して冷凍サイクルの運転抑制制御機能のオン／オフ制御パラメータを導出する。ステップＳ１３６では、コンピュータ３０が、現時刻が第２処理時刻であるかを確認する。なお、ここで、第２処理時刻は、５：００から２２：００までの１５分間隔の時刻である。ステップＳ１３６の確認の結果、現時刻が第２処理時刻である場合は、外気導入ルーチンＲ２に移る。ステップＳ１３６の確認の結果、現時刻が第２処理時刻でない場合は、ステップＳ１３８に移る。外気導入ルーチンＲ２では、コンピュータ３０が、室内機１１の設定温度、およびビル６０の部屋１００ａ，１００ｂを区画する壁１５１，１５２の一部または空調区画１１０ａ，１１０ｂを部分的に区画する壁１５１，１５２の一部の放射温度を利用して全熱交換器ユニット１５のオン／オフ制御パラメータおよびマルチ式空気調和機１０の室内機１１のオン／オフ制御パラメータを導出する。設定温度ルーチンＲ３では、コンピュータ３０が、気象情報（外気温や外気絶対湿度の情報など。）、室内機１１の設定温度、およびビル６０の部屋１００ａ，１００ｂを区画する壁１５１，１５２の一部または空調区画１１０ａ，１１０ｂを部分的に区画する壁１５１，１５２の一部の放射温度を利用して設定温度パラメータを導出する。ステップＳ１３７では、空調制御パラメータ導出プログラム３１が、冷凍サイクルルーチンＲ１、外気導入ルーチンＲ２および設定温度ルーチンＲ３において導出された各制御パラメータから空調制御テーブルを作成する。ステップＳ１３８では、コンピュータ３０が、その空調制御テーブルを前回の空調制御テーブルと比較して空調制御テーブルに変更が加えてられているかを確認する。ステップＳ１３８の確認の結果、その空調制御パラメータに変更が加えられている場合は、ステップＳ１３９に移る。ステップＳ１３８の確認の結果、空調制御パラメータに変更が加えられていない場合は、コンピュータ３０は、処理時刻まで待機する。ステップＳ１３９では、コンピュータ３０が、その空調制御テーブルをステーション２０に送信する。
【００６１】
このようにすれば、逐次更新されるような気象情報を有効に活用することが可能となる。
（１０）
先の実施の形態に係る空調制御システム４００では、温度センサ２０５を用いて壁１５１，１５２の放射温度を計測したが、これに代えて、放射温度を推測してもよい。ここで、放射温度は［式２］により推算される。
【００６２】
［式２］    Ｔｋｓ＝ｆ（Ｔｒｍ（ｔ））
（ｔは０時から２３時までの１時間おきの時刻）
［式２］において、推定放射温度Ｔｋｓは、ある時刻ｔにおける部屋１００ａ，１００ｂの温度Ｔｒｍ（室内機１１の温度センサで測定できる。）の関数で表現される。例えば、５時における温度Ｔｒｍから推定躯体温度Ｔｋｓを推算することが考えられる。また、夜間の温度Ｔｒｍの平均値から推定躯体温度Ｔｋｓを推算することも考えられる。
【００６３】
このようにすれば、新たな計測器を導入することなく躯体の温度を得ることができる。
（１１）
先の実施の形態に係る空調制御システム４００では、温度センサ２０５を用いて壁１５１，１５２の放射温度を計測したが、これに代えて、放射温度を推測してもよい。ここで、放射温度は［式３］により推算される。
【００６４】
［式３］    Ｔｋｓ＝ｆ（Ｔｒｍ（ｔ））−ｇ（部屋の位置，緑化情報）
（ｔは０時から２３時までの１時間おきの時刻）
［式３］において、推定放射温度Ｔｋｓは、ある時刻ｔにおける部屋１００ａ，１００ｂの温度Ｔｒｍ（室内機１１の温度センサで測定できる。）の関数から得られる値と、その部屋１００ａ，１００ｂの位置情報（日当たりなども考慮できる。）および緑化情報（緑化場所や緑化面積、緑化密度など）の関数から得られる値との差により表現される。なお、ｆ（Ｔｒｍ（ｔ））の項は、例えば、５時における温度Ｔｒｍから推算することが考えられる。また、夜間の温度Ｔｒｍの平均値から推算することも考えられる。ｇ（部屋の位置，緑化情報）の項に関しては、ビル６０を図２０のように区画しておくことが考えられる（以下、この区画を緑化影響分類区画１１１，１１２，１１３，１１４，１１５，１１６，１１７，１１８という。）。最も単純な例としては、図番１１１の緑化影響分類区画においてｇ（部屋の位置，緑化情報）＝２とし、図番１１２の緑化影響分類区画においてｇ（部屋の位置，緑化情報）＝１．５とし、図番１１３の緑化影響分類区画においてｇ（部屋の位置，緑化情報）＝１．５とし、図番１１４の緑化影響分類区画においてｇ（部屋の位置，緑化情報）＝１とし、図番１１５の緑化影響分類区画においてｇ（部屋の位置，緑化情報）＝２とし、図番１１６の緑化影響分類区画においてｇ（部屋の位置，緑化情報）＝０．５とし、図番１１７の緑化影響分類区画においてｇ（部屋の位置，緑化情報）＝０とし、図番１１８の緑化影響分類区画においてｇ（部屋の位置，緑化情報）＝１とすることなどが考えられる。なぜなら、冷房の場合、緑化場所に近ければ近いほど外からの熱負荷の影響が低減されると予測されるからである。あらかじめビル６０の温度ムラについて調査をし、その調査の知見に基づいてこのような値を決定することができれば、さらに正確に躯体温度の推算を行うことができると考えられる。
【００６５】
（１２）
先の実施の形態に係る空調制御システム４００では、主に作用温度を採用したが、これに代えて、他の温熱指標、例えば、有効温度、修正有効温度、不快指数、作用温度、冷風指数、等価冷却温度、ＷＢＧＴ指数、または新有効温度などを採用してもよい。また、エンタルピなどの物理量を用いてもよい。
【００６６】
（１３）
先の実施の形態に係る空調制御システム４００では、壁１５１，１５２の放射温度を測定したが、これに代えて、天井または床の放射温度を測定してもよい。また、壁１５１，１５２の表面温度を測定もよい。
（１４）
先の実施の形態に係る空調制御システム４００では、地下配管３２０がビル６０の外に設けられていたが、これに代えて、地下配管３２０をビル６０内に設けてもよい。このようにすれば、地下を通った外気の放熱を抑制することができる。
【００６７】
（１５）
先の実施の形態に係る空調制御システム４００では、５：００に躯体温度を取得したが、これに加えて、５：００から２２：００までの数分刻みの時刻に躯体温度を取得してもよい。このようにすれば、よりきめ細かく制御パラメータを導出することができる。したがって、省エネルギー効果をさらに向上させることができる。
【００６８】
（１６）
先の実施の携帯に係る空調制御システム４００では、コンピュータ３０に空調制御パラメータ導出プログラム３１をインストールしたが、これに代えて、ステーション２０に空調制御パラメータ導出プログラム３１をインストールしてもかまわない。ただし、この場合、気象情報管理サーバ８０とステーション２０との接続を確立する必要がある。
【００６９】
【発明の効果】
請求項１に係る空調制御装置では、躯体温度取得手段が、所定の空間に属する空間を部分的に又は全体的に区画する躯体の一部または全部の温度を、少なくともその空間単位で取得する。そして、空調制御パラメータ導出手段が、その躯体の一部または全部の温度を利用して空調制御パラメータを導出する。このため、所定の空間に複数の空間が属しておりそれぞれの空間に少なくとも１台の空気調和機が設置されるような場合、その空間ごとに空気調和機の空調制御パラメータを導出することができる。また、空気調和機がマルチ式空気調和機である場合、その室内機が設置される空間ごとにその室内機の制御パラメータを導出することができる。したがって、緑化などされて空調負荷が不均一になっているようなビルなどにおいても十分な省エネルギー効果を得ることができる。
【００７０】
請求項２に係る空調制御装置では、空調制御パラメータ導出手段が、躯体の一部または全部の温度を利用して、空調制御パラメータを導出する基準となる基準値を修正し、その修正された基準値に基づいて空調制御パラメータを導出する。このため、所定の空間に属する空間それぞれに適切なタイミングで空調制御パラメータを導出することができる。したがって、緑化などされて空調負荷が不均一になっているようなビルなどにおいても十分な省エネルギー効果を得ることができる。
【００７１】
請求項３に係る空調制御装置では、空調制御パラメータ導出手段が、躯体の一部または全部の温度を利用して外気導入手段の制御パラメータを導出する。外気導入手段の消費エネルギー量は、空気調和機のそれと比べると十分に小さい。このため、ビルなどをさらに効率的に省エネルギー化することができる。また、例えば、冷房時において、躯体温度が空気調和機の設定温度よりも低いときは従来よりも早いタイミングで外気導入などすることができ、また躯体温度が室温よりも高いときは外気導入を行わないように空調制御パラメータを導出するようにすることができれば、緑化などされて空調負荷が不均一になっているようなビルなどをさらに効率よく省エネルギー化することができる。
【００７２】
請求項４に係る空調制御装置では、外気導入手段が、地中に設けられる配管を介して外気を導入する。一般に、地中は常にほぼ一定の温度に保たれている。つまり、比較的暑い時期では地中の温度が外気の温度よりも低く、比較的寒い時期では地中の温度が外気の温度よりも高い。このため、外気が地中の配管を通る際に地中の熱と熱交換を起こすようにすることができれば、比較的暑い時期では外気が冷却され、比較的寒い時期では、外気が加熱される。したがって、そのような時期では、比較的低い空調能力で空気調和機を運転することができる。その結果、ビルなどをさらに効率的に省エネルギー化することができる。
【００７３】
請求項５に係る空調制御装置では、空調制御パラメータ導出手段が、躯体の一部または全部の温度を利用して第１外気導入手段の制御パラメータおよび第２外気導入手段の制御パラメータを導出する。ところで、第１外気導入手段は、夏や冬などには非常に有効である。しかし、例えば、秋や春などにおいて外気温度が地中の温度よりも低い状態で空気調和機または空気調和システムが冷房運転している場合は、空間の空調負荷を大きくしてしまう可能性がある。しかし、先のような状況になったときに、外気導入手段を第１外気導入手段から第２外気導入手段に切り替えるように制御パラメータを導出することができれば、空間の空調負荷を大きくしてしまうことを防止することができる。また、空気調和機または空気調和システムの設定温度が、外気温度と地中の温度との間にある場合は、第１外気導入手段と第２外気導入手段とを適当な割合で運転させることにより、外気導入手段のみでその空間を空気調和することができる。したがって、さらに効率よくビルなどの省エネルギー化を行うことができる。
【００７４】
請求項６に係る空調制御装置では、決定手段が、制御パラメータに基づいて空気調和機または空気調和システムの運転／停止を決定する。このため、外気導入手段が運転されているときに、空気調和機または空気調和システムを停止することができれば、在室者の快適感を損なうことなくさらに省エネルギー化することができる。
【００７５】
請求項７に係る空調制御装置では、空調制御パラメータ導出手段が、躯体の一部または全部の温度を利用して複数の内気排出手段それぞれの制御パラメータを導出する。このため、例えば、温度が高い空間の順に内気排出手段を運転させるように制御パラメータを導出させることができれば、空間に蓄積される熱を効率的に排出することができる。したがって、冷房時のビルなどをさらに効率的に省エネルギー化することができる。
【００７６】
請求項８に係る空調制御装置を用いると、新たに計測器を導入することなく躯体の一部または全部の温度を得ることができる。
請求項９に係る空調制御装置を用いると、若干の設備費や工事費などはかかるが、精度よく躯体の温度を測定できる。
請求項１０に係る空調制御プログラムが実行されると、躯体温度取得ステップで、所定の空間に属する空間を部分的に又は全体的に区画する躯体の一部または全部の温度が、少なくともその空間単位で取得される。そして、空調制御パラメータ導出ステップで、その躯体の一部または全部の温度が利用されて空調制御パラメータが導出される。このため、所定の空間に複数の空間が属しておりそれぞれの空間に少なくとも１台の空気調和機が設置されるような場合、その空間ごとに空気調和機の空調制御パラメータを導出することができる。また、空気調和機がマルチ式空気調和機である場合、その室内機が設置される空間ごとにその室内機の制御パラメータを導出することができる。したがって、緑化などされて空調負荷が不均一になっているようなビルなどにおいても十分な省エネルギー効果を得ることができる。
【００７７】
請求項１１に係る空調制御方法が実施されると、躯体温度取得ステップで、所定の空間に属する空間を部分的に又は全体的に区画する躯体の一部または全部の温度が、少なくともその空間単位で取得される。そして、空調制御パラメータ導出ステップで、その躯体の一部または全部の温度が利用されて空調制御パラメータが導出される。このため、所定の空間に複数の空間が属しておりそれぞれの空間に少なくとも１台の空気調和機が設置されるような場合、その空間ごとに空気調和機の空調制御パラメータを導出することができる。また、空気調和機がマルチ式空気調和機である場合、その室内機が設置される空間ごとにその室内機の制御パラメータを導出することができる。したがって、緑化などされて空調負荷が不均一になっているようなビルなどにおいても十分な省エネルギー効果を得ることができる。
【００７８】
請求項１２に係る空調制御システムでは、所定の空間に複数の空間が属しておりそれぞれの空間に少なくとも１台の空気調和機が設置されるような場合、その空間ごとに空気調和機の空調制御パラメータを導出することができ、またそれらの空気調和機を空間単位で制御することができる。したがって、緑化などされて空調負荷が不均一になっているようなビルなどにおいても十分な省エネルギー効果を得ることができる。
【図面の簡単な説明】
【図１】空調制御システム４００のブロック図。
【図２】ビル６０の斜視図。
【図３】空調設備を表す図（一部屋に１台の室内機１１が設置される場合。）。
【図４】空調設備を表す図（一部屋に複数台の室内機１１が設置される場合。）。
【図５】空調制御パラメータ導出の流れを表すフローチャート
【図６】冷凍サイクルルーチン３１ｂの処理の流れを表すフローチャート。
【図７】外気導入ルーチン３１ａの処理の流れを表すフローチャート。
【図８】設定温度ルーチン３１ｃの処理の流れを表すフローチャート。
【図９】変形例（４）に係る冷凍サイクルルーチンの処理の流れを表すフローチャート（１）。
【図１０】変形例（４）に係る冷凍サイクルルーチンの処理の流れを表すフローチャート（２）。
【図１１】変形例（５）に係る外気導入ルーチンの処理の流れを表すフローチャート。
【図１２】変形例（７）に係る空調設備を表す図。
【図１３】変形例（７）に係る外気導入ルーチン３１ａの処理の流れを表すフローチャート（１）。
【図１４】変形例（７）に係る外気導入ルーチン３１ａの処理の流れを表すフローチャート（２）。
【図１５】変形例（７）に係る他の空調設備を表す図。
【図１６】変形例（８）に係る設定温度ルーチン３１ｃの処理の流れを表すフローチャート。
【図１７】外気絶対湿度、室内絶対湿度および設定温度の関係を説明するための表。
【図１８】設定温度ルーチンにおいて作成される制御パラメータの概念図。
【図１９】変形例（９）に係る空調制御パラメータの導出を表すフローチャート。
【図２０】変形例（１０）に係るビル６０の緑化影響分類区画１１１，１１２，１１３，１１４，１１５，１１６，１１７，１１８を表す図。
【符号の説明】
１０                  マルチ式空気調和機
１１                  室内機
１２                  室外機
１５                  全熱交換器ユニット
２０                  ステーション
２１                  制御部
２３，３３，８２      モデム
３０                  コンピュータ
３１                  空調制御パラメータ導出プログラム
３１ａ                外気導入ルーチン
３１ｂ                冷凍サイクルルーチン
３１ｃ                設定温度ルーチン
３２                  管理データベース
４０                  ネットワーク
５０                  情報管理センター
６０                  緑化ビル
６１，６２            緑化スペース
６３                  屋上出口
６４                  貯水タンク
７０                  管理室
８０                  気象情報管理サーバ
８１                  気象データベース
９０                  気象情報配信センター
１００，１１０          区画
１００ａ，１００ｂ      部屋
１１０ａ，１１０ｂ      空調区画
１１１，１１２，１１３，１１４，１１５，１１６，１１７，１１８
緑化影響分類区画
１５１                  外壁
１５２                  壁
２０２                  電子膨張弁
２０３ａ                冷媒配管（液管）
２０３ｂ                冷媒配管（ガス管）
２０４                  コントローラ
２０５                  温度センサ
３０２ａ                ダクト配管（給気側）
３０２ｂ                ダクト配管（排気側）
３１１                  給気ファン
３１３，３１７          排気ファン
３１５                  排気ダンパ
３１９                  三方電磁弁
３２０                  地下配管
４００                  空調制御システム
５００                  空調領域の境界面
【図１】
2004325033.tif 000003
【図２】
2004325033.tif 000004
【図３】
2004325033.tif 000005
【図４】
2004325033.tif 000006
【図５】
2004325033.tif 000007
【図６】
2004325033.tif 000008
【図７】
2004325033.tif 000009
【図８】
2004325033.tif 000010
【図９】
2004325033.tif 000011
【図１０】
2004325033.tif 000012
【図１１】
2004325033.tif 000013
【図１２】
2004325033.tif 000014
【図１３】
2004325033.tif 000015
【図１４】
2004325033.tif 000016
【図１５】
2004325033.tif 000017
【図１６】
2004325033.tif 000018
【図１７】
2004325033.tif 000019
【図１８】
2004325033.tif 000020
【図１９】
2004325033.tif 000021
【図２０】
2004325033.tif 000022